(57)【要約】【課題】ゴルフヘッドとシャフトとの優れた位置決め効果が得ることができるゴルフヘッド及びそのヘッドとシャフトとの動態バランス調整方法を提供する。【解決手段】中空のゴルフヘッド（１０）の一端に中空のホーゼル（１１）が設けられ、該ホーゼル（１１）の内縁にねじ山（１２０）を有する螺合部（１２）が設けられ、該螺合部（１２）にボルト（１３）が螺合され、ホーゼル（１１）から下方へ延伸するゴルフヘッド（１０）の底部に内部にねじ（１４）が設けられるねじ孔（１００）が形成され、ホーゼル（１１）に螺合されるボルト（１３）の外側に外ねじ山（１３０）が設けられると共に、螺合部（１２）におけるボルト（１３）の外側にねじ山を有しない平滑部（１３２）が設けられ、外ねじ山（１３０）を有するボルト（１３）の一端に外ねじ山（１３０）まで貫通するＬ字形注入孔（１３１）が形成されることを特徴とする。【選択図】        図１
2004229795.tif 000002
【特許請求の範囲】
【請求項１】
中空のゴルフヘッド（１０）の一端に中空のホーゼル（１１）が設けられ、該ホーゼル（１１）の内縁にねじ山（１２０）を有する螺合部（１２）が設けられ、該螺合部（１２）にボルト（１３）が螺合され、ホーゼル（１１）から下方へ延伸するゴルフヘッド（１０）の底部に内部にねじ（１４）が設けられるねじ孔（１００）が形成され、
ホーゼル（１１）に螺合されるボルト（１３）の外側に外ねじ山（１３０）が設けられると共に、螺合部（１２）におけるボルト（１３）の外側にねじ山を有しない平滑部（１３２）が設けられ、外ねじ山（１３０）を有するボルト（１３）の一端に外ねじ山（１３０）まで貫通するＬ字形注入孔（１３１）が形成されることを特徴とするゴルフヘッド。
【請求項２】
ボルトの設置工程と、接着剤の注入工程と、シャフトの接合工程と、動態バランスをテストする工程と、調整工程と、孔を封閉する工程とを備えるゴルフヘッドとシャフトとの動態バランス調整方法であって、
ボルトの設置工程は位置決め工具によりフェイスを設置したゴルフヘッドの底部におけるねじ孔を介して、ボルトをゴルフヘッドの一側におけるホーゼルの内部の螺合部に貫通させるように位置させる工程であり、
接着剤の注入工程は、ホーゼルの内部に接着剤を注入する工程であり、
シャフトの接合工程は、中空のシャフトの一端にホーゼルの内部におけるボルトを螺合した後、位置決め工具を取り出す工程であり、
動態バランスをテストする工程は、接合したヘッドとシャフトを動態バランステスト機械に放置すると共に、動態バランステストを行う工程であり、
調整工程は、ヘッドとシャフトとを所定の動態バランスとした後、調整工具によってねじ孔を介して、ボルトとシャフトを強固に固定し、その後、調整工具をヘッドから取り出し、そのまま放置して接着剤を凝固させることによりボルトとシャフトを固定させる工程であり、
孔を封閉する工程は、ねじによってねじ孔を封閉した後、ヘッドの底部から突出するねじの一部を研磨して取り除く工程であることを特徴とするゴルフヘッドとシャフトとの動態バランス調整方法。
【請求項３】
ホーゼル（１１）に螺合させるボルト（１３）の外側に外ねじ山（１３０）が設けられると共に、螺合部（１２）におけるボルト（１３）の外側にねじ山を有しない平滑部（１３２）が設けられ、該外ねじ山（１３０）は螺合部（１２）におけるねじ山（１２０）を通過してシャフト（２０）の内部における内ねじ山（２００）と螺合し、更に、外ねじ山（１３０）を有するボルト（１３）の一端に外ねじ山（１３０）まで延伸するＬ字形注入孔（１３１）が形成され、
シャフトの接合工程においてホーゼル（１１）の内部に接着剤を注入した後、シャフト（２０）をホーゼル（１１）に配置すると共に、ホーゼル（１１）内部における接着剤がシャフトによって押圧のためＬ字形注入孔（１３１）から中空なシャフト（２０）の内部に流れ込まれ、これにより、接着剤をシャフト（２０）の内部とボルト（１３）との間に位置させることを特徴とする請求項２に記載のゴルフヘッドとシャフトとの動態バランス調整方法。
【発明の詳細な説明】
【０００１】
【発明の属する技術分野】
本発明は、特にゴルフヘッドとシャフトとの優れた位置決め効果が得ることができるゴルフヘッド及びそのヘッドとシャフトとの動態バランス調整方法に関するものである。
【０００２】
【従来の技術】
近年、ゴルフはかなりの人気があるが、ゴルフが上手になるためには熟練した技術を必要とするだけでなく、ゴルフクラブの設計もボールを打撃する際の安定性や打球の方向に影響を与えるので極めて大切である。ボールを打撃する際、ヘッドの動態バランスを維持できれば、ボールを予定の方向へ飛び出すことができる。
【０００３】
従来のゴルフクラブは優れた動態バランスを得るために、カーボン繊維から成るシャフトを製造した後、結合端にヘッドとの定位目印が設けられることによって動態バランスを達成する。
【０００４】
【本発明が解決しようとする課題】
しかしながら、従来の動態バランステストはヘッドとシャフトとを結合した後、機械によってテストを行い、そのテストによって動態バランスの問題を発見しても、既にヘッドとシャフトは結合されているので、調整することができず、そのクラブは不良品となってしまい、結果的に製造コストの増加に繋がってしまう。そこで、係る問題を解決すべく出願人は、既に特許文献１にて新規な発明を提案したが、更に、異なる構成による上記課題の解決につき鋭意検討を行った。
【０００５】
【特許文献１】
実用新案登録第３０８８５３８号
【０００６】
そこで、出願されたのが本発明であって、ゴルフヘッドとシャフトとの優れた位置決め効果が得ることができると共に、当該効果を上記特許文献１に記載の発明とは異なった構成によって達成するようにしたゴルフヘッド及びそのヘッドとシャフトとの動態バランス調整方法を提供することを目的としている。
【０００７】
【課題を解決するための手段】
本願の請求項１の発明は、中空のゴルフヘッド（１０）の一端に中空のホーゼル（１１）が設けられ、該ホーゼル（１１）の内縁にねじ山（１２０）を有する螺合部（１２）が設けられ、該螺合部（１２）にボルト（１３）が螺合され、ホーゼル（１１）から下方へ延伸するゴルフヘッド（１０）の底部に内部にねじ（１４）が設けられるねじ孔（１００）が形成され、
ホーゼル（１１）に螺合されるボルト（１３）の外側に外ねじ山（１３０）が設けられると共に、螺合部（１２）におけるボルト（１３）の外側にねじ山を有しない平滑部（１３２）が設けられ、外ねじ山（１３０）を有するボルト（１３）の一端に外ねじ山（１３０）まで貫通するＬ字形注入孔（１３１）が形成されることを特徴とするゴルフヘッド及び、
本願の請求項２の発明は、ボルトの設置工程と、接着剤の注入工程と、シャフトの接合工程と、動態バランスをテストする工程と、調整工程と、孔を封閉する工程とを備えるゴルフヘッドとシャフトとの動態バランス調整方法であって、
ボルトの設置工程は位置決め工具によりフェイスを設置したゴルフヘッドの底部におけるねじ孔を介して、ボルトをゴルフヘッドの一側におけるホーゼルの内部の螺合部に貫通させるように位置させる工程であり、
接着剤の注入工程は、ホーゼルの内部に接着剤を注入する工程であり、
シャフトの接合工程は、中空のシャフトの一端にホーゼルの内部におけるボルトを螺合した後、位置決め工具を取り出す工程であり、
動態バランスをテストする工程は、接合したヘッドとシャフトを動態バランステスト機械に放置すると共に、動態バランステストを行う工程であり、
調整工程は、ヘッドとシャフトとを所定の動態バランスとした後、調整工具によってねじ孔を介して、ボルトとシャフトを強固に固定し、その後、調整工具をヘッドから取り出し、そのまま放置して接着剤を凝固させることによりボルトとシャフトを固定させる工程であり、
孔を封閉する工程は、ねじによってねじ孔を封閉した後、ヘッドの底部から突出するねじの一部を研磨して取り除く工程であることを特徴とするゴルフヘッドとシャフトとの動態バランス調整方法及び、
本願の請求項３の発明は、ホーゼル（１１）に螺合させるボルト（１３）の外側に外ねじ山（１３０）が設けられると共に、螺合部（１２）におけるボルト（１３）の外側にねじ山を有しない平滑部（１３２）が設けられ、該外ねじ山（１３０）は螺合部（１２）におけるねじ山（１２０）を通過してシャフト（２０）の内部における内ねじ山（２００）と螺合し、更に、外ねじ山（１３０）を有するボルト（１３）の一端に外ねじ山（１３０）まで延伸するＬ字形注入孔（１３１）が形成され、
シャフトの接合工程においてホーゼル（１１）の内部に接着剤を注入した後、シャフト（２０）をホーゼル（１１）に配置すると共に、ホーゼル（１１）内部における接着剤がシャフトによって押圧のためＬ字形注入孔（１３１）から中空なシャフト（２０）の内部に流れ込まれ、これにより、接着剤をシャフト（２０）の内部とボルト（１３）との間に位置させることを特徴とする請求項２に記載のゴルフヘッドとシャフトとの動態バランス調整方法、
を提供する。
【０００８】
【作用】
本発明は上記の課題を解決するものであり、ヘッドの内部のホーゼルにおけるボルトとシャフトとの結合によって優れた外観を達成できるだけでなく、本発明の方法によってシャフトとヘッドの優れた動態バランスも達成することができる。
【０００９】
【発明の実施の形態】
以下、添付図面を参照して本発明の好適な実施の形態を詳細に説明する。
【００１０】
図１は本発明に係わるゴルフヘッドとシャフトの分解斜視図であり、図２は本発明に係わるゴルフヘッドにおいて位置決め工具によってボルトを螺合部に設置する状態を示す断面図であり、図３は本発明に係わるゴルフヘッドにおけるホーゼルとシャフトとの接合状態を示す断面図であり、図４は本発明に係わるゴルフヘッドにおいて調整工具によってボルトを調整する状態を示す断面図であり、図５は本発明に係わるゴルフヘッドのねじ孔にねじを螺合した状態を示す断面図であり、図６は本発明に係わるゴルフヘッドにおけるねじを削り取った状態を示す断面図である。
【００１１】
本発明に係わるゴルフヘッドとシャフトとの動態バランス調整方法は、ボルトの設置工程と、接着剤の注入工程と、シャフトの接合工程と、動態バランスをテストする工程と、調整工程と、孔を封閉する工程とを備える。
【００１２】
前記のボルトの設置工程は位置決め工具によってフェイスを設置したゴルフヘッドの底部におけるねじ孔を介して、ボルトをゴルフヘッドの一側におけるホーゼルの内部の螺合部に貫通させるように位置させる工程であり、接着剤の注入工程は、ホーゼルの内部に接着剤を注入する工程であり、シャフトの接合工程は、中空のシャフトの一端にホーゼルの内部におけるボルトを螺合した後、位置決め工具を取り出す工程であり、動態バランスをテストする工程は、接合したヘッドとシャフトを動態バランステスト機械にセットして、動態バランステストを行う工程であり、調整工程は、ヘッドとシャフトとを所定の動態バランスとした後、調整工具によってねじ孔を介して、ボルトとシャフトを強固に固定し、その後、調整工具をヘッドから取り出し、そのまま放置して接着剤を凝固させることによりボルトとシャフトを固定させる工程であり、孔を封閉する工程は、ねじによってねじ孔を封閉した後、ヘッドの底部から突出するねじの一部を研磨して取り除く工程である。
【００１３】
更に、図面と配合して本発明の方法を詳細に説明する。
図１に示すように、本発明のゴルフヘッドはフェイス（符号なし）を設置した中空のゴルフヘッド（１０）の一端に中空なホーゼル（１１）が設けられ、該ホーゼル（１１）の内縁にねじ山（１２０）を有する螺合部（１２）が設けられ、該螺合部（１２）にシャフト（２０）と螺合できるボルト（１３）が設置されると共に、ホーゼル（１１）から下方へ延伸するゴルフヘッド（１０）の底部に、内部にねじ（１４）が設けられるねじ孔（１００）が形成される。更に、ホーゼル（１１）に螺合されるボルト（１３）の外側に外ねじ山（１３０）が設けられると共に、螺合部（１２）におけるボルト（１３）の外側にねじ山を有しないない平滑部（１３２）が設けられる。そして、外ねじ山（１３０）は螺合部（１２）におけるねじ山（１２０）を介してシャフト（２０）の内部における内ねじ山（２００）に螺合され、又、外ねじ山（１３０）を有するボルト（１３）の一端には外ねじ山（１３０）まで貫通するＬ字形注入孔（１３１）が形成される。
【００１４】
図２に示すように、本発明のゴルフヘッド（１０）とシャフトとを組合わせる場合は、位置決め工具（３０）によってゴルフヘッド（１０）の底部におけるねじ孔（１００）を介して、螺合部（１２）におけるボルト（１３）をホーゼル（１１）に固定させる。又、この位置決め工具（３０）の中段にはゴルフヘッド（１０）の底部におけるねじ孔（１００）と螺合して位置決めされるねじ山部（３００）が設けられ、これにより、ボルト（１３）を安定的にホーゼル（１１）に固定させる。
【００１５】
図３に示すように、本発明はホーゼル（１１）の内部に接着剤を注入した後、シャフト（２０）をホーゼル（１１）に挿入し、それにより、ホーゼル（１１）の内部における接着剤がシャフトによって押圧され、Ｌ字形注入孔（１３１）から中空のシャフト（２０）の内部に流れ込み、接着剤がシャフト（２０）の内部とボルト（１３）との間に位置され、又、ボルト（１３）の底部には位置決め工具（３０）が押圧されるように設置されるので、接着剤が螺合部（１２）から中空のゴルフヘッド（１０）の内部に滲入することがなく、接着剤が無駄にならない。
【００１６】
そして、シャフト（２０）とボルト（１３）を接合した後、位置決め工具（３０）をゴルフヘッド（１０）から取り出し、更に、シャフト（２０）とゴルフヘッド（１０）を動態バランステスト機械にセットして動態バランスのテストを行う。
【００１７】
又、図４に示すように、本発明に用いる接着剤は瞬間接着剤ではないので、シャフト（２０）とゴルフヘッド（１０）とを所定の動態バランスとした後、調整工具（４０）によりねじ孔（１００）を介して、ボルト（１３）とシャフト（２０）を強固に固定し、その後、調整工具（４０）をゴルフヘッド（１０）から取り出し、そのまま放置して接着剤を凝固させることによりボルト（１３）とシャフト（２０）を固定させる。又、シャフト（２０）とゴルフヘッド（１０）とを調整する際、ボルト（１３）に平滑部（１３２）が設けられるので、ボルト（１３）が回転すると共に、シャフト（２０）と強固に固定するだけで、螺合部（１２）におけるねじ山（１２０）によって上下に移動することが起こらない。
【００１８】
更に、図５に示すように、シャフト（２０）とゴルフヘッド（１０）とを固設した後、ねじ（１４）によってゴルフヘッド（１０）の底部におけるねじ孔（１００）を封閉する。又、ねじ（１４）をねじ孔（１００）に螺合する前に、少量の接着剤をねじ孔（１００）に注入することにより、加工によって産生した金属屑を粘着できる。
【００１９】
最後に、図６に示すように、ねじ（１４）によってねじ孔（１００）を封閉した後、ゴルフヘッド（１０）の底部から突出するねじ（１４）の一部を研磨して取り除く。
【００２０】
【発明の効果】
本発明は上記のものを有するので、シャフトとヘッドを優れた動態バランスにすることができ、且つ優れた外観も達成できる。
【図面の簡単な説明】
【図１】本発明に係わるゴルフヘッドとシャフトの分解斜視図である。
【図２】本発明に係わるゴルフヘッドにおいて位置決め工具によってボルトを螺合部に設置する状態を示す断面図である。
【図３】本発明に係わるゴルフヘッドにおけるホーゼルとシャフトとの接合状態を示す断面図である。
【図４】本発明に係わるゴルフヘッドにおいて調整工具によってボルトを調整する状態を示す断面図である。
【図５】本発明に係わるゴルフヘッドのねじ孔にねじを螺合した状態を示す断面図である。
【図６】本発明に係わるゴルフヘッドにおけるねじを削り取った状態を示す断面図である。
【符号の説明】
１０        ゴルフヘッド
１００      ねじ孔
１１        ホーゼル
１２        螺合部
１２０      ねじ山
１３        ボルト
１３０      外ねじ山
１３１      Ｌ字形注入孔
１３２      平滑部
１４        ねじ
２０        シャフト
２００      内ねじ山
３０        定位工具
３００      ねじ山部
４０        調整工具
【図１】
2004229795.tif 000003
【図２】
2004229795.tif 000004
【図３】
2004229795.tif 000005
【図４】
2004229795.tif 000006
【図５】
2004229795.tif 000007
【図６】
2004229795.tif 000008